(57)【要約】      （修正有）【課題】雇客の満足度及び買物体験を向上するグローバルスマート製造販売サービスシステムを提供する。【解決手段】グローバル化調達、支払い、スマート製造、販売、物流配送を一体とするグローバルスマート製造販売サービスシステムであって、グローバルサプライチェーンインフォメーションを相互接続し、企業経営インフォメーションの独立性、機密保持性、安全性確保の基礎において、スマート製造の経験をシェアし、エンドカスタマーと製造メーカーを融合し、経営決定をリアルタイムで調整し、顧客に対して製品インフォメーションを正確に勧める。【選択図】図１
2019192210.tif 000002
【特許請求の範囲】
【請求項１】
グローバルスマート製造販売サービスシステムであって、多数の絶えず複製及び拡張できるサービスユニットを有し、各サービスユニットセルラーアーキテクチャーを通して、グローバル調達、グローバル製造、グローバル販売サービスを提供するグローバルセルラーサービスネットワークを構築し、
前記サービスユニットは、グローバルセキュリティ管理システム、グローバルスマートクラウドサービスプラットフォーム、グローバルエンドカスタマー、グローバル製造プラットフォーム、グローバルパーツサプライヤー、グローバル販売プラットフォーム、グローバル物流執行エンド、グローバル支払いシステム、グローバルセルラーサービスシステムにより組成され、
前記サービスユニットは、グローバルセキュリティ管理システムに基づき、データの機密保持性、安全性、使用可能性確保の基礎において、グローバルスマートクラウドサービスプラットフォームを構成し、前記グローバルスマートクラウドサービスプラットフォームは、クラウドデータプールに基づき、サービス指向を採用する分散式アーキテクチャーは、グローバル販売プラットフォーム、グローバル製造プラットフォーム、グローバルエンドカスタマー、グローバルパーツサプライヤー、グローバル物流執行エンド、グローバル支払いシステムとドッキングし、グローバルエンドカスタマーから独立した各グローバル製造プラットフォーム、グローバルパーツサプライヤー、グローバル販売プラットフォーム、グローバル物流執行エンドまでのデマンドサイドからサプライサイドまでの完全なサプライチェーンシステムを統合し、グローバル支払いを実現可能なグローバル支払いシステムを統合し、
前記グローバルスマートクラウドサービスプラットフォームは、グローバル販売プラットフォーム、グローバルパーツサプライヤー、グローバル物流執行エンド、グローバル支払いシステムを通して、グローバル製造プラットフォームへとＳａａＳクラウドサービスに基づくグローバル販売サービス、グローバル調達サービス、グローバル製造プラットフォームサービス、グローバル物流サービス、グローバル支払いサービス、スマートインフォメーションシステムサービス、ソフトウェアサービスを提供し、
前記グローバルスマートクラウドサービスプラットフォームは、グローバルセルラーサービスシステムを経由し、グローバルスマートクラウドサービスプラットフォームのフォーメーション、オペレーション及びメンテナンスとオン／オフラインの総合サービスを提供し、
前記グローバルスマートクラウドサービスプラットフォームは、ビッグデータ分析及びスマート製造経験データシェアの基礎において、絶えずセルフ進化し、グローバルサプライチェーン効率を絶えず高め、スマート製造のレベルを絶えず改善し、スマート意思決定レベルを絶えず改善し、
各グローバルスマートクラウドサービスプラットフォームの間、及びグローバルスマートクラウドサービスプラットフォームとドッキングする各システム或いはプラットフォームの間では、標準化、モジュール化されたセキュリティインターフェースとプロトコルの方式を採用し、マルチプルネットワークリンクを通して連接し、データ交換を行い、
カスタマーエンドとしてのグローバルエンドカスタマー、供給エンドとしてのグローバルパーツサプライヤー及びグローバル製造プラットフォーム上の製造メーカーは、グローバルスマートクラウドサービスプラットフォーム上で、登録し、サービスを獲得し、
前記多数のグローバル製造プラットフォームは、異なる製品／業界属性の地域製造プラットフォームにより組成され、グローバル製造メーカーにグローバル製造サービスを提供し、グローバル製造を実施し、各地域製造プラットフォームには、複数の相同の業界属性の製造メーカーが加入できる
ことを特徴とする、
グローバルスマート製造販売サービスシステム。
【請求項２】
前記各クラウドデータプールは、公共データを同期し、
前記公共データは、グローバルスマートクラウドサービスプラットフォームが収集した各企業が公布した需給データ、提供サービスのデータ、グローバル製造プラットフォームのスマート製造過程経験データ、グローバル物流執行エンドの物流データを含み、スマートインフォメーションシステムサービスとソフトウェアサービスを通して、ビッグデータ分析技術を採用し、公共データを集中処理し、
前記ビッグデータ分析技術は、人工神経ネットワークと遺伝アルゴリズム技術を採用し、グローバルスマートクラウドサービスプラットフォームのサプライチェーン全過程のスマート意思決定に運用し、継続学習、企業経営における意思決定条件における分析と改善、意思決定効果と思考方法の関係、人工神経ネットワークと遺伝アルゴリズムを絶えず改善し、経験データに基づくセルフ進化機能を備え、スマート製造経験のシェアを通して、企業のスマート製造のレベル、スマート意思決定レベルを絶えず改善する
ことを特徴とする、
請求項１に記載のグローバルスマート製造販売サービスシステム。
【請求項３】
前記グローバルセキュリティ管理システムは、グローバルセルラーサービスネットワークとすべてのサービスユニットに、グローバルインフォメーションセキュリティサービスを提供し、データベースデータに定義された暗号化ストレージサービス、ユーザーが定義したデジタル署名に対応したデジタル証書に基づくアイデンティティ有効性認証サービスを有し、データ暗号化伝送とブロックチェイン技術を採用し、サービスユニット内部及びその間のグローバルトレードインフォメーションの機密保持性、安全性、完全性と頑強性を実現し、
Ｏｖｅｒｌａｙ技術を採用し、すべてのユーザーデータのネットワーク隔離を実現し、ユーザーの私有データを有し、ユーザーだけがアクセスできる機能のネットワーク設備とコントローラーを通して、各単一企業等ユーザーの敏感なデータの機密保持とセキュリティを確保し、
前記グローバルエンドカスタマーは、グローバルスマートクラウドサービスプラットフォームにおいて登録及びアイデンティティ認証後にサービスを受けられ、前記サービスは、製品の選択と発注サービス、発注製品の生産状態と物流インフォメーションをチェックするサービス、グローバル物流執行エンドの配送を受けるサービス、プラットフォームに接続するグローバル支払いシステムを通した支払いサービスを含み、
前記グローバルパーツサプライヤーは、グローバル製造メーカーに調達の資材を提供し、グローバルスマートクラウドサービスプラットフォームに登録し、及びアイデンティティ認証後、サービスを受けることができ、前記サービスは、グローバル製造プラットフォームが発した、或いは製造メーカーが認定した資材調達オーダーを自動的に獲得するサービス、グローバル物流執行エンドの配送サービス、プラットフォームに接続するグローバル支払いシステムを通して、価格を受け取るサービスを含み、
前記グローバル販売プラットフォームは、グローバル販売サービスを提供し、グローバル製造メーカーは、展示製品インフォメーションを提供でき、グローバルエンドカスタマーは、製品を選択し、カスタマイズし、発注することができ、
グローバルスマートクラウドサービスプラットフォームのスマートインフォメーションシステムサービス中のビッグデータ分析の基礎において、グローバル販売プラットフォームを通して、顧客に対して、グローバル製造メーカーの製品インフォメーションを正確に勧めることができ、
前記グローバル支払いシステムは、世界的な多種の支払いプラットフォームにより組成され、顧客の製品価格支払い、企業の資材調達価格支払いを実現し、企業のアイデンティティ認証に参与し、顧客の支払い信用データを統計、分析する基礎において、信用支払いを実現する
ことを特徴とする、
請求項１に記載のグローバルスマート製造販売サービスシステム。
【請求項４】
前記グローバル製造プラットフォームは、ｎ個の異なる製品／業界属性の地域製造プラットフォームにより組成され、各地域製造プラットフォームには、複数の相同の業界属性の製造メーカーが加入でき、
グローバル製造メーカーに、ｎ個のグローバル製造プラットフォームサービスを提供し、グローバル製造を執行し、
前記地域製造プラットフォームは、同地域同属性製造プラットフォームと異なる地域同属性製造プラットフォームに分けられ、製品オーダーサービス、資材調達サービス、物流サービス、支払いサービス、スマートインフォメーションシステムサービス、ソフトウェアサービスの基礎において、地域製造プラットフォーム内の製造メーカーに、スマートインダストリーサービスを提供し、前記サービスはすべて、モジュール化、標準化の形式で提供され、製造メーカーの登録及び申請に基づき得られ、
前記同地域同属性製造プラットフォームは、中小企業団地内の、複数の同業界属性の製造メーカーのスマート工場が入る製造プラットフォームで、提供するスマートインダストリーサービスは、団地内製造メーカーに提供する生産管理サービス、リアルタイムデータ採取サービス、ビッグデータ分析サービス、品質管理サービス、資材管理サービス、スマート配送サービス、中央実験室サービス、人的資源訓練及びサポートサービス、自動化及び情報化サービス、研究開発センター製品研究開発サービス、研究開発設計製作サービス、団地内製造メーカーに提供する工場スマートインフラ／設備、スマート製造設備、中央倉庫のハード施設を含み、
前記異なる地域同属性製造プラットフォームは、グループ企業或いは団地外の他の自らフォーメーションする製造プラットフォームで、提供するスマートインダストリーサービスは、グループ企業或いは製造プラットフォームに提供する生産管理サービス、リアルタイムデータ採取サービス、ビッグデータ分析サービス、品質管理サービス、資材管理サービス、スマート配送サービス、人的資源管理サービス、情報化サービスを含む
ことを特徴とする、
請求項１に記載のグローバルスマート製造販売サービスシステム。
【請求項５】
前記スマートインフォメーションシステムサービスは、スマートリアルタイムモニタリングシステムサービスＲＴＭＳ-Ｓｅｒｖｅｒを含み、
前記スマートリアルタイムモニタリングシステムサービスは、リアルタイムデータ採取サービスとビッグデータ分析サービスを含み、
前記リアルタイムデータ採取サービスは、スマートリアルタイムモニタリングシステムＲＴＭＳの執行エンドを通して、スマート工場中のすべてのスマート製造設備、工場スマートインフラ／設備を相互に接続し、自動的にデータを採取し、サービスを通して、工場スマートインフラ／設備とスマート製造設備を自動的にコントロールし、フレキシブル生産自動化を実現し、同時に、全面的な製造過程スマートリアルタイムモニタリングサービスを提供し、製造過程において、メンテナンス関連のサプライヤー、資材、生産管理、品質管理、リアルタイムコスト、物流過程、財務、人的資源等データを得ることができ、スマート製造経験データを含み、また、リアルタイムデータ採取サービスはさらに、市場デマンドデータのモニタリング、製品販売データ、資材供給データ、物流インフォメーションデータを採取し、
前記ビッグデータ分析サービスは、リアルタイムデータ採取サービスが採取したビッグデータとスマート製造経験データの基礎において、ビッグデータスマート分析を行い、リアルタイムで工場の全オペレーションを通してキーノードを監視するサービス、統計分析インフォメーション集中表示サービス、生産過程の３Ｄモデリング及びＶＲ表示サービスとスマート意思決定サービスを企業に提供し、
工場のサプライチェーンインフォメーション全体をリアルタイムに表示し、各サプライチェーンプロセスはすべて確実にリアルタイムにコントロールを受け、同時にリアルタイムに統計し、供給エンドからデマンドエンドまでのインフォメーションを表示し、企業はタイムリーにフィードバック及び調整し、迅速に決定し、完全なインフォメーションサービスを提供する
ことを特徴とする、
請求項４に記載のグローバルスマート製造販売サービスシステム。
【請求項６】
前記生産過程の３Ｄモデリング及びＶＲ表示サービスは、ＶＲ技術を通して、工場スマートインフラ／設備、スマート製造設備、中央倉庫及びスマート物流設備の３Ｄモデルを作り、リアルタイムデータ採取サービスが採取したデータ及びインフォメーション管理システムリアルタイムデータ交換と結合し、ＶＲの方式で、工場内部の中央モニタリングプラットフォーム及び／或いはリモートカスタマーエンドに、製品生産のリアルタイム全過程を表示し、バーチャル工場を建設し、ユーザーは製品の生産状況、設備の運行状況をダイレクトに知ることができ、
前記スマート意思決定サービスは、生産過程の３Ｄモデリング及びＶＲ表示サービスとスマート製造経験データに基づき、バーチャル工場を構築し、オーダー執行をシミュレートし、ルーティンをシミュレートし、製造過程をシミュレートできる
ことを特徴とする、
請求項５に記載のグローバルスマート製造販売サービスシステム。
【請求項７】
前記工場のサプライチェーンインフォメーション全体は、サプライヤー状況、原材料供給、物流インフォメーション、製品生産量及び歩留り、生産効率、品質状況、リアルタイム矯正及び予防措置、リアルタイム統計、人的資源状況を含み、
前記リアルタイム統計は、供給エンドからデマンドエンドまでのインフォメーションを表示し、サプライヤーインフォメーション、工数効率インフォメーション、リアルタイムコストインフォメーション、コスト統計分析インフォメーション、品質状況統計分析インフォメーション、矯正及び予防措置統計分析インフォメーション、人的資源統計分析インフォメーション、工場インフラ統計分析インフォメーション、物流インフォメーション統計分析、製造経験データ統計分析及び異なる製品デマンドの顧客分析統計インフォメーション、顧客満足度統計分析インフォメーションを含む
ことを特徴とする、
請求項５に記載のグローバルスマート製造販売サービスシステム。
【請求項８】
前記グローバル調達、グローバル製造、グローバル販売サービスの実施は、具体的に以下のステップを含み、
ステップ１、グローバルエンドカスタマーは、グローバルスマートクラウドサービスプラットフォーム上で、グローバル販売プラットフォーム上に表示される異なるカテゴリーの製品インフォメーションをチェック及び獲得でき、必要な製品製造オーダーを選択するか、或いは個別化デマンドを発布し、グローバル支払いシステムを通して、製品オーダーの価格を支払い、
ステップ２、グローバル販売プラットフォームは、前記製品オーダーの製品／業界属性に基づき、同業界属性の製造プラットフォームに自動的に接続し、前記製造プラットフォームに属する各製造メーカーが上述の製品オーダーを確認したなら、対応する資材調達オーダーを出し、製造メーカーは、グローバル支払いシステムを通して、資材調達オーダー価格を支払い、
ステップ３、グローバルスマートクラウドサービスプラットフォームは、グローバル販売プラットフォーム上でグローバルエンドカスタマーが下したすべての製品オーダーを集め、集めたグローバル製造プラットフォーム製品データインフォメーションとグローバルパーツサプライヤーのインフォメーションを通して、ビッグデータスマート分析により、自動的に資材調達オーダーを出し、グローバル調達を執行し、資材調達オーダーを、相応のパーツサプライヤーに分配して発注し、同時に、製品オーダーと自動発注の資材調達オーダーを、グローバル製造プラットフォーム中の相応の製品を提供する製造メーカーにそれぞれ伝え、資材調達オーダー上の製品に在庫があるなら、前記パーツサプライヤーは、前記製品を、グローバル物流執行エンドを通して、相応の資材デマンド製造メーカーにダイレクトに配送して供給し、資材デマンド製造メーカーの受取りを確認後、グローバル支払いシステムは相応のパーツサプライヤーに自動的に価格を支払い、もし在庫がない、或いは在庫が不足している場合には、グローバルパーツサプライヤーは、グローバルエンドカスタマーに転化し、ステップ１に入り、
ステップ４、グローバル製造プラットフォーム中の同地域同属性製造プラットフォーム内の製造メーカーであるなら、前記プラットフォーム内の工場スマートインフラ／設備、スマート製造設備を通して、スマートインダストリーサービス中で提供する生産管理サービス、リアルタイムデータ採取サービス、ビッグデータ分析サービス、品質管理サービス、中央実験室サービス、自動化及び情報化サービス、人的資源訓練及びサポートサービス、研究開発センター製品研究開発サービス、資材管理サービス、スマート配送サービスに対応してオーダー製品製造過程を執行し、グローバルスマートクラウドサービスプラットフォームのスマートインフォメーションシステムサービス、ソフトウェアサービスを獲得し、こうしてスマートインフォメーションシステムを、インダストリー製造自動化執行プロセス中に融合し、製造した製品を、前記地域製造プラットフォームの中央倉庫及び物流設備に集め、スマート配送サービスを通して顧客に配送し、顧客の受取りを確認後、グローバル支払いシステムは自動的にオーダー製品価格を相応の製造メーカーに支払い、
グローバル製造プラットフォーム中の異なる地域同属性製造プラットフォーム内の製造メーカーであるなら、自社で構築した工場スマートインフラ／設備、スマート製造設備を通して、プラットフォームスマートインダストリーサービス中で提供する生産管理サービス、リアルタイムデータ採取サービス、ビッグデータ分析サービス、品質管理サービス、資材管理サービス、スマート配送サービス、人的資源管理サービス、情報化サービスに対応して、オーダー製品の製造過程を執行し、グローバルスマートクラウドサービスプラットフォームのスマートインフォメーションシステムサービス、ソフトウェアサービスを獲得し、製造した製品をスマート配送サービスを通して顧客に配送し、顧客の受取りを確認後、グローバル支払いシステムはオーダー製品価格を、相応の製造メーカーに自動的に支払う
ことを特徴とする、
請求項１に記載のグローバルスマート製造販売サービスシステム。
【請求項９】
前記グローバル製造を実施する際には、具体的に以下のステップを含み、
ステップ１、世界中の異なる地域で、業界の属性に基づき、デジタル化、情報化、スマート化を基礎としたｎ個の地域製造プラットフォームを構築し、各地域製造プラットフォームには、複数の相同の業界属性の製造メーカーが加入でき、大企業規模のスマート製造プラットフォームを組成し、
ステップ２、各地域製造プラットフォームは、それ自身が定義する標準プラットフォームインターフェース及びプロトコルにより、グローバルスマートクラウドサービスプラットフォームとドッキングし、前記地域製造プラットフォームは、インフラ設備層、リアルタイムデータ採取及び執行層、インフォメーション管理層の三つの層に分けられ、前記地域製造プラットフォームは、インフラ設備層、リアルタイムデータ採取及び執行層、インフォメーション管理層の融合を通して、地域製造プラットフォーム内の各製造メーカーに、スマートインダストリーサービスを提供し、前記スマートインダストリーサービスは、リアルタイムデータ採取サービス、ビッグデータ分析サービス、生産管理サービス、品質管理サービス、中央実験室サービス、自動化及び情報化サービス、人的資源訓練及びサポートサービス、研究開発センター製品研究開発サービス、資材管理サービス、スマート配送サービスを含み、
前記インフラ設備層は、デジタル化、スマート化の工場インフラ／設備、中央倉庫及び物流設備とスマート製造設備の設計と構築に用いられ、地域製造プラットフォーム内の各製造メーカーに提供され使用され、
前記リアルタイムデータ採取及び執行層は、スマートリアルタイムモニタリングシステムＲＴＭＳの執行エンドを通して、インフラ設備層の工場インフラ／設備に対して、スマートインフラリアルタイム採取モニタリングを実施し、中央倉庫及び物流設備とスマート製造設備に対して、スマート設備インフォメーションリアルタイム採取モニタリングを実施し、プラットフォーム内のすべての施設設備インフォメーションを相互に接続し、スマートモニタリング、リアルタイムでの施設設備の運行インフォメーション採取を実現し、生産計画に基づき、設備をスマート制御し、フレキシブルな製造、効率向上、省エネ及び消費削減で基礎的な保障を提供し、及びインフラ設備層に対して、その他インフォメーションのリアルタイム採取モニタリングを実施し、前記その他のインフォメーションリアルタイム採取モニタリングは、全面的な製造過程スマートリアルタイムモニタリングサービスを提供し、製造過程で、メンテナンス関連のサプライヤー、資材、生産管理、品質管理、リアルタイムコスト、物流過程、財務、人的資源のデータ、スマート製造経験データ、その他の経験データ及び市場デマンドデータ、製品販売データ、資材供給データ、物流インフォメーションデータを得ることができ、
前記インフォメーション管理層は、統合されたスマートインフォメーションシステムモジュールを含み、前記スマートインフォメーションシステムモジュールは、スマートリアルタイムモニタリングシステムＲＴＭＳのサービスエンド、サプライヤー管理システムＳＣＭ、顧客関係管理システムＣＲＭ、統合製品開発システムＩＰＤ、企業リソース計画ＥＲＰ、製造執行システムＭＥＳ、スマート計算計画スケジューラーＡＰＳ、スマート倉庫管理システムＷＭＳ、製品ライフサイクル管理システムＰＬＭを含み、ビッグデータ分析及びスマート製造経験データシェアの基礎において、オーダーとスマート生産スケジュールに基づき、フレキシブル製造を行い、スマートインフォメーションシステムは継続的に学習及び改善し、地域製造プラットフォーム内製造メーカーのスマート製造レベルとスマート意思決定レベルを高めることができ、
前記スマートリアルタイムモニタリングシステムＲＴＭＳのサービスエンドは、サービスを発表する形式で、スマートリアルタイムモニタリングシステムＲＴＭＳの執行エンドが採取するインフラ、スマート設備、製造過程インフォメーションを獲得し、ＶＲの方式で、工場内部の中央モニタリングプラットフォーム及び／或いはリモートカスタマーエンドに、製品生産のリアルタイム全過程を表示し、ユーザーは製品の生産状況、設備の運行状況をダイレクトに知ることができ、
前記統合製品開発システムＩＰＤは、地域製造プラットフォーム内の各製造メーカーに、製品最適化設計、個別化設計の研究開発サービスを提供する
ことを特徴とする、
請求項１に記載のグローバルスマート製造販売サービスシステム。
【発明の詳細な説明】
【技術分野】
【０００１】
本発明はグローバルスマート製造販売サービスシステムに関し、特にサプライサイド管理からデマンドサイド管理まで（ＳＳＭＴＤＳＭ、Ｓｕｐｐｌｙ  Ｓｉｄｅ  Ｍａｎａｇｅｍｅｎｔ  Ｔｏ  Ｄｅｍａｎｄ  Ｓｉｄｅ  Ｍａｎａｇｅｍｅｎｔ）に、グローバルに調達、製造、販売、支払い、物流配送を提供する総合サービスシステムに関する。
【背景技術】
【０００２】
現行の多くのＢ２Ｂプラットフォームでは、企業の原材料デマンドと製品供給（アリババなど）にのみ注目し、製造メーカーの製造プロセスとエンドカスタマーに対する関心が欠如しており、物流とインフォメーションが不完全で、製造メーカーにおいてはコミュニケーションコストが拡大し、サプライチェーンの効率を低下させている。
【０００３】
また別の現行の多くのＢ２Ｃプラットフォームは、エンドカスタマーと製品サプライヤーとのトレードプラットフォームを提供し（淘宝など）、製品のグローバル販売を解決しているだけで、製品製造過程に対する管理と品質管理が欠けており、統一されたグローバル物流サービスがないため、サプライチェーン全体に対するサービスが不完全で、各方面のインフォメーションが不対称となり、アフターサービスが悪く、コピー商品が横行し、物流の問題も多い。
同時に、顧客のカスタム化デマンドを実現することは難しく、エンドカスタマーの満足度が低い。
【０００４】
現行のＢ２Ｃプラットフォームは、自社のオンラインショップで商品を販売（京東など）し、物流配送も自営し、エンドカスタマーに直接的にサービスする。
商品は直接、製造メーカーから各地の倉庫に送られるが、製造プロセス、製造メーカーに対する総合スマート製造サービスがなく、サプライチェーン全体に対するサービスが不完全である。
しかも、中間プロセスが入るため、物流コストが拡大し、及び仲卸業者が差額を徴取し、エンドカスタマーが購入する商品のコストが高くなっている。
【０００５】
現行の多くのサービスとしてのソフトウェア（ＳａａＳ）クラウドプラットフォームのサービスは単一で、スマートインダストリー関連のシステム化のソフトウェアサービスと情報化サービスが欠けているものもある。
スマート製造サービスにだけ注目し、しかも各プラットフォームは独自に作動し、インフォメーションのやりとりが困難で、顧客デマンドから製品交付までのサプライチェーン過程全体をつなぐことは困難である。
製造メーカーにとっては、インフォメーションやりとりコストが拡大し、タイムリーに経営決定を行うことは難しい。
同時に、インフォメーションの安全性と機密保持性に対しても保障がない。
【０００６】
現行の供給販売システムは、エンドカスタマーが仲卸業者に注文し、製造メーカーは仲卸業者が出したオーダーを受け取った後、パーツサプライヤーに対して調達オーダーを出す。
資材が揃った後、製造過程を執行し、その後製品を仲卸業者に交付し、或いは直接指定のエンドカスタマーに出荷する。
上記したプロセスの欠点は、サプライチェーンのプロセスが多く、効率が低く、インフォメーションの共有が難しく、調達コストが高い点である。
【０００７】
現在、多くの中小型企業は、資金に限りがあり、規模が小さく、製造経験が薄弱で、情報化及び自動化のレベルが低く、調達コストが高く、製品の品質が不揃いで、ブランド効果を欠いており、インフォメーションが閉塞的で、グローバルエンドカスタマーデマンドインフォメーションを獲得及び満足させることは難しく、発展は困難である。
大企業の中には、自前のインフォメーションシステム及び製造販売システムを持つものもあるが、すべて孤立したシステム及び体系であるため、グローバル化は難しく、同時にグローバルスマート製造経験のシェアを受けることは困難で、発展の足かせとなっている。
つまり現在、現行の問題を解決できるグローバル化された調達、製造、販売、支払い及び物流配送を一体化する総合サービスシステムがない。
【発明の概要】
【発明が解決しようとする課題】
【０００８】
前記先行技術には、現行の問題を解決できるグローバル化された調達、製造、販売、支払い及び物流配送を一体化する総合サービスシステムがない欠点がある。
【課題を解決するための手段】
【０００９】
本発明は、情報化、デジタル化、スマート化、統合されたグローバル化調達、支払い、スマート製造、販売と物流配送を一体とするグローバルスマート製造販売サービスシステムで、グローバルサプライチェーンインフォメーションの接続とやりとりを実現し、グローバル大、中、小企業は、これによりグローバル調達、グローバル販売、スマート製造の能力を有し、グローバル物流配送、グローバル支払いの効率を高め、同時に企業経営インフォメーションの独立性、機密保持性と安全性確保の基礎において、グローバル企業はスマート製造の経験をシェアでき、絶えず製品の品質を高め、経営コストを低下させ、エンドカスタマーと製造メーカーの深い融合を実現でき、サプライチェーンプロセスを減らせ、ビッグデータ分析の基礎において、グローバル企業はリアルタイムで経営決定を調整し、顧客に対して製品インフォメーションを正確に勧められ、顧客の満足度及び買い物体験を向上させられるグローバルスマート製造販売サービスシステムに関する。
【００１０】
本発明によるグローバルスマート製造販売サービスシステムは、多数の絶えず複製及び拡張できるサービスユニットを有し、各サービスユニットセルラーアーキテクチャーを通して、グローバル調達、グローバル製造、グローバル販売サービスを提供するグローバルセルラーサービスネットワークを構築する。
該サービスユニットは、グローバルセキュリティ管理システム、グローバルスマートクラウドサービスプラットフォーム、グローバルエンドカスタマー、グローバル製造プラットフォーム、グローバルパーツサプライヤー、グローバル販売プラットフォーム、グローバル物流執行エンド、グローバル支払いシステム、グローバルセルラーサービスシステムにより組成される。
該サービスユニットは、グローバルセキュリティ管理システムに基づき、データの機密保持性、安全性、使用可能性確保の基礎において、グローバルスマートクラウドサービスプラットフォームを構成し、該グローバルスマートクラウドサービスプラットフォームは、クラウドデータプールに基づき、サービス指向を採用する分散式アーキテクチャーは、グローバル販売プラットフォーム、グローバル製造プラットフォーム、グローバルエンドカスタマー、グローバルパーツサプライヤー、グローバル物流執行エンド、グローバル支払いシステムとドッキングし、グローバルエンドカスタマーから独立した各グローバル製造プラットフォーム、グローバルパーツサプライヤー、グローバル販売プラットフォーム、グローバル物流執行エンドまでのデマンドサイドからサプライサイドまでの完全なサプライチェーンシステムを統合し、グローバル支払いを実現可能なグローバル支払いシステムを統合する。
該グローバルスマートクラウドサービスプラットフォームは、グローバル販売プラットフォーム、グローバルパーツサプライヤー、グローバル物流執行エンド、グローバル支払いシステムを通して、グローバル製造プラットフォームへとＳａａＳクラウドサービスに基づくグローバル販売サービス、グローバル調達サービス、グローバル製造プラットフォームサービス、グローバル物流サービス、グローバル支払いサービス、スマートインフォメーションシステムサービス、ソフトウェアサービスを提供する。
該グローバルスマートクラウドサービスプラットフォームは、グローバルセルラーサービスシステムを経由し、グローバルスマートクラウドサービスプラットフォームのフォーメーション、オペレーション及びメンテナンスとオン／オフラインの総合サービスを提供する。
該グローバルスマートクラウドサービスプラットフォームは、ビッグデータ分析及びスマート製造経験データシェアの基礎において、絶えずセルフ進化し、グローバルサプライチェーン効率を絶えず高め、スマート製造のレベルを絶えず改善し、スマート意思決定レベルを絶えず改善する。
各グローバルスマートクラウドサービスプラットフォームの間、及びグローバルスマートクラウドサービスプラットフォームとドッキングする各システム或いはプラットフォームの間では、標準化、モジュール化されたセキュリティインターフェースとプロトコルの方式を採用し、マルチプルネットワークリンクを通して連接し、データ交換を行う。
カスタマーエンドとしてのグローバルエンドカスタマー、サプライヤーとしてのグローバルパーツサプライヤー及びグローバル製造プラットフォーム上の製造メーカーは、グローバルスマートクラウドサービスプラットフォーム上で、登録し、サービスを獲得する。
【００１１】
該多数のグローバル製造プラットフォームは、異なる製品／業界属性の地域製造プラットフォームにより組成され、グローバル製造メーカーにグローバル製造サービスを提供し、グローバル製造を実施し、各地域製造プラットフォームには、複数の相同の業界属性の製造メーカーが加入できる。
【００１２】
該各クラウドデータプールは、公共データを同期し、該公共データは、グローバルスマートクラウドサービスプラットフォームが収集した各企業が公布した需給データ、提供サービスのデータ、グローバル製造プラットフォームのスマート製造過程経験データ、グローバル物流執行エンドの物流データを含み、スマートインフォメーションシステムサービスとソフトウェアサービスを通して、ビッグデータ分析技術を採用し、公共データを集中処理する。
該ビッグデータ分析技術は、人工神経ネットワークと遺伝アルゴリズム技術を採用し、グローバルスマートクラウドサービスプラットフォームのサプライチェーン全過程のスマート意思決定に運用し、継続学習、企業経営における意思決定条件における分析と改善、意思決定効果と思考方法の関係、人工神経ネットワークと遺伝アルゴリズムを絶えず改善し、経験データに基づくセルフ進化機能を備え、スマート製造経験のシェアを通して、企業のスマート製造のレベル、スマート意思決定レベルを絶えず改善する。
【００１３】
該グローバルセキュリティ管理システムは、グローバルセルラーサービスネットワークとすべてのサービスユニットに、グローバルインフォメーションセキュリティサービスを提供する。
データベースデータに定義された暗号化ストレージサービス、ユーザーが定義したデジタル署名に対応したデジタル証書に基づくアイデンティティ有効性認証サービスを有する。
データ暗号化伝送とブロックチェイン技術を採用し、サービスユニット内部及びその間のグローバルトレードインフォメーションの機密保持性、安全性、完全性と頑強性を実現する。
Ｏｖｅｒｌａｙ技術を採用し、すべてのユーザーデータのネットワーク隔離を実現し、ユーザーの私有データを有し、ユーザーだけがアクセスできる機能のネットワーク設備とコントローラーを通して、各単一企業等ユーザーの敏感なデータの機密保持と安全を確保する。
【００１４】
該グローバルエンドカスタマーは、グローバルスマートクラウドサービスプラットフォームにおいて登録及びアイデンティティ認証後にサービスを受けられ、該サービスは、製品の選択と発注サービス、発注製品の生産状態と物流インフォメーションをチェックするサービス、グローバル物流執行エンドの配送を受けるサービス、プラットフォームに接続するグローバル支払いシステムを通した支払いサービスを含む。
【００１５】
該グローバルパーツサプライヤーは、グローバル製造メーカーに調達の資材を提供し、グローバルスマートクラウドサービスプラットフォームに登録し、及びアイデンティティ認証後、サービスを受けることができる。
該サービスは、グローバル製造プラットフォームが発した、或いは製造メーカーが認定した資材調達オーダーを自動的に獲得するサービス、グローバル物流執行エンドの配送サービス、プラットフォームに接続するグローバル支払いシステムを通して、価格を受け取るサービスである。
【００１６】
該グローバル販売プラットフォームは、グローバル販売サービスを提供し、グローバル製造メーカーは、展示製品インフォメーションを提供でき、グローバルエンドカスタマーは、製品を選択し、カスタマイズし、発注することができる。
グローバルスマートクラウドサービスプラットフォームのスマートインフォメーションシステムサービス中のビッグデータ分析の基礎において、グローバル販売プラットフォームを通して、顧客に対して、グローバル製造メーカーの製品インフォメーションを正確に勧めることができる。
【００１７】
該グローバル支払いシステムは、世界的な多種の支払いプラットフォームにより組成され、顧客の製品価格支払い、企業の資材調達価格支払いを実現し、企業のアイデンティティ認証に参与する。
顧客の支払い信用データを統計、分析する基礎において、信用支払いを実現する。
【００１８】
該グローバル製造プラットフォームは、ｎ個の異なる製品／業界属性の地域製造プラットフォームにより組成され、各地域製造プラットフォームには、複数の相同の業界属性の製造メーカーが加入でき、グローバル製造メーカーに、ｎ個のグローバル製造プラットフォームサービスを提供し、グローバル製造を執行する。
【００１９】
該地域製造プラットフォームは、同地域同属性製造プラットフォームと異なる地域同属性製造プラットフォームに分けられ、製品オーダーサービス、資材調達サービス、物流サービス、支払いサービス、スマートインフォメーションシステムサービス、ソフトウェアサービスの基礎において、地域製造プラットフォーム内の製造メーカーに、スマートインダストリーサービスを提供し、該サービスはすべて、モジュール化、標準化の形式で提供され、製造メーカーの登録及び申請に基づき得られる。
【００２０】
該同地域同属性製造プラットフォームは、中小企業団地内の、複数の同業界属性の製造メーカーのスマート工場が入る製造プラットフォームで、提供するスマートインダストリーサービスは、団地内製造メーカーに提供する生産管理サービス、リアルタイムデータ採取サービス、ビッグデータ分析サービス、品質管理サービス、資材管理サービス、スマート配送サービス、中央実験室サービス、人的資源訓練及びサポートサービス、自動化及び情報化サービス、研究開発センター製品研究開発サービス、研究開発設計製作サービス、団地内製造メーカーに提供する工場スマートインフラ／設備、スマート製造設備、中央倉庫のハード施設を含む。
【００２１】
該異なる地域同属性製造プラットフォームは、グループ企業或いは団地外の他の自らフォーメーションする製造プラットフォームで、提供するスマートインダストリーサービスは、グループ企業或いは製造プラットフォームに提供する生産管理サービス、リアルタイムデータ採取サービス、ビッグデータ分析サービス、品質管理サービス、資材管理サービス、スマート配送サービス、人的資源管理サービス、情報化サービスを含む。
【００２２】
該スマートインフォメーションシステムサービスは、スマートリアルタイムモニタリングシステムサービスＲＴＭＳ-Ｓｅｒｖｅｒを含み、該スマートリアルタイムモニタリングシステムサービスは、リアルタイムデータ採取サービスとビッグデータ分析サービスを含む。
【００２３】
該リアルタイムデータ採取サービスは、スマートリアルタイムモニタリングシステムＲＴＭＳの執行エンドを通して、スマート工場中のすべてのスマート製造設備、工場スマートインフラ／設備を相互に接続し、自動的にデータを採取し、サービスを通して、工場スマートインフラ／設備とスマート製造設備を自動的にコントロールし、フレキシブル生産自動化を実現する。
同時に、全面的な製造過程スマートリアルタイムモニタリングサービスを提供し、製造過程において、メンテナンス関連のサプライヤー、資材、生産管理、品質管理、リアルタイムコスト、物流過程、財務、人的資源等データを得ることができ、スマート製造経験データを含む。
また、リアルタイムデータ採取サービスはさらに、市場デマンドデータのモニタリング、製品販売データ、資材供給データ、物流インフォメーションデータを採取する。
【００２４】
該ビッグデータ分析サービスは、リアルタイムデータ採取サービスが採取したビッグデータとスマート製造経験データの基礎において、ビッグデータスマート分析を行い、リアルタイムで工場の全オペレーションを通してキーノードを監視するサービス、統計分析インフォメーション集中表示サービス、生産過程の３Ｄモデリング及びＶＲ表示サービスとスマート意思決定サービスを企業に提供する。
工場のサプライチェーンインフォメーション全体をリアルタイムに表示し、各サプライチェーンプロセスはすべて確実にリアルタイムにコントロールを受け、同時にリアルタイムに統計し、供給エンドからデマンドエンドまでのインフォメーションを表示し、企業はタイムリーにフィードバック及び調整し、迅速に決定し、完全なインフォメーションサービスを提供する。
【００２５】
該生産過程の３Ｄモデリング及びＶＲ表示サービスは、ＶＲ技術を通して、工場スマートインフラ／設備、スマート製造設備、中央倉庫及びスマート物流設備の３Ｄモデルを作り、リアルタイムデータ採取サービスが採取したデータ及びインフォメーション管理システムリアルタイムデータ交換と結合し、ＶＲの方式で、工場内部の中央モニタリングプラットフォーム及び／或いはリモートカスタマーエンドに、製品生産のリアルタイム全過程を表示し、バーチャル工場を建設し、ユーザーは製品の生産状況、設備の運行状況をダイレクトに知ることができる。
【００２６】
該スマート意思決定サービスは、生産過程の３Ｄモデリング及びＶＲ表示サービスとスマート製造経験データに基づき、バーチャル工場を構築し、オーダー執行をシミュレートし、ルーティンをシミュレートし、製造過程をシミュレートできる。
【００２７】
該工場のサプライチェーンインフォメーション全体は、サプライヤー状況、原材料供給、物流インフォメーション、製品生産量及び歩留り、生産効率、品質状況、リアルタイム矯正及び予防措置、リアルタイム統計、人的資源状況を含む。
【００２８】
該リアルタイム統計は、供給エンドからデマンドエンドまでのインフォメーションを表示し、サプライヤーインフォメーション、工数効率インフォメーション、リアルタイムコストインフォメーション、コスト統計分析インフォメーション、品質状況統計分析インフォメーション、矯正及び予防措置統計分析インフォメーション、人的資源統計分析インフォメーション、工場インフラ統計分析インフォメーション、物流インフォメーション統計分析、製造経験データ統計分析及び異なる製品デマンドの顧客分析統計インフォメーション、顧客満足度統計分析インフォメーションを含む。
【００２９】
該グローバル調達、グローバル製造、グローバル販売サービスの実施は、具体的に以下のステップを含む。
ステップ１、グローバルエンドカスタマーは、グローバルスマートクラウドサービスプラットフォーム上で、グローバル販売プラットフォーム上に表示される異なるカテゴリーの製品インフォメーションをチェック及び獲得でき、必要な製品製造オーダーを選択するか、或いは個別化デマンドを発布し、グローバル支払いシステムを通して、製品オーダーの価格を支払う。
ステップ２、グローバル販売プラットフォームは、該製品オーダーの製品／業界属性に基づき、同業界属性の製造プラットフォームに自動的に接続し、該製造プラットフォームに属する各製造メーカーが上述の製品オーダーを確認したなら、対応する資材調達オーダーを出し、製造メーカーは、グローバル支払いシステムを通して、資材調達オーダー価格を支払う。
ステップ３、グローバルスマートクラウドサービスプラットフォームは、グローバル販売プラットフォーム上でグローバルエンドカスタマーが下したすべての製品オーダーを集め、集めたグローバル製造プラットフォーム製品データインフォメーションとグローバルパーツサプライヤーのインフォメーションを通して、ビッグデータスマート分析により、自動的に資材調達オーダーを出し、グローバル調達を執行し、資材調達オーダーを、相応のパーツサプライヤーに分配して発注し、同時に、製品オーダーと自動発注の資材調達オーダーを、グローバル製造プラットフォーム中の相応の製品を提供する製造メーカーにそれぞれ伝え、資材調達オーダー上の製品に在庫があるなら、該パーツサプライヤーは、該製品を、グローバル物流執行エンドを通して、相応の資材デマンド製造メーカーにダイレクトに配送して供給し、資材デマンド製造メーカーの受取りを確認後、グローバル支払いシステムは相応のパーツサプライヤーに自動的に価格を支払い、もし在庫がない、或いは在庫が不足している場合には、グローバルパーツサプライヤーは、グローバルエンドカスタマーに転化し、ステップ１に入る。
ステップ４、グローバル製造プラットフォーム中の同地域同属性製造プラットフォーム内の製造メーカーであるなら、該プラットフォーム内の工場スマートインフラ／設備、スマート製造設備を通して、スマートインダストリーサービス中で提供する生産管理サービス、リアルタイムデータ採取サービス、ビッグデータ分析サービス、品質管理サービス、中央実験室サービス、自動化及び情報化サービス、人的資源訓練及びサポートサービス、研究開発センター製品研究開発サービス、資材管理サービス、スマート配送サービスに対応してオーダー製品製造過程を執行し、グローバルスマートクラウドサービスプラットフォームのスマートインフォメーションシステムサービス、ソフトウェアサービスを獲得し、こうしてスマートインフォメーションシステムを、インダストリー製造自動化執行プロセス中に融合し、製造した製品を、該地域製造プラットフォームの中央倉庫及び物流設備に集め、スマート配送サービスを通して顧客に配送し、顧客の受取りを確認後、グローバル支払いシステムは自動的にオーダー製品価格を相応の製造メーカーに支払う。
【００３０】
グローバル製造プラットフォーム中の異なる地域同属性製造プラットフォーム内の製造メーカーであるなら、自社で構築した工場スマートインフラ／設備、スマート製造設備を通して、プラットフォームスマートインダストリーサービス中で提供する生産管理サービス、リアルタイムデータ採取サービス、ビッグデータ分析サービス、品質管理サービス、資材管理サービス、スマート配送サービス、人的資源管理サービス、情報化サービスに対応し、オーダー製品の製造過程を執行し、グローバルスマートクラウドサービスプラットフォームのスマートインフォメーションシステムサービス、ソフトウェアサービスを獲得し、製造した製品をスマート配送サービスを通して顧客に配送し、顧客の受取りを確認後、グローバル支払いシステムはオーダー製品価格を、相応の製造メーカーに自動的に支払う。
【００３１】
該グローバル製造を実施する際には、具体的に以下のステップを含む。
ステップ１、世界中の異なる地域で、業界の属性に基づき、デジタル化、情報化、スマート化を基礎としたｎ個の地域製造プラットフォームを構築し、各地域製造プラットフォームには、複数の相同の業界属性の製造メーカーが加入でき、大企業規模のスマート製造プラットフォームを組成する。
ステップ２、各地域製造プラットフォームは、それ自身が定義する標準プラットフォームインターフェース及びプロトコルにより、グローバルスマートクラウドサービスプラットフォームとドッキングし、該地域製造プラットフォームは、インフラ設備層、リアルタイムデータ採取及び執行層、インフォメーション管理層の三つの層に分けられ、該地域製造プラットフォームは、インフラ設備層、リアルタイムデータ採取及び執行層、インフォメーション管理層の融合を通して、地域製造プラットフォーム内の各製造メーカーに、スマートインダストリーサービスを提供し、該スマートインダストリーサービスは、リアルタイムデータ採取サービス、ビッグデータ分析サービス、生産管理サービス、品質管理サービス、中央実験室サービス、自動化及び情報化サービス、人的資源訓練及びサポートサービス、研究開発センター製品研究開発サービス、資材管理サービス、スマート配送サービスを含む。
【００３２】
該インフラ設備層は、デジタル化、スマート化の工場インフラ／設備、中央倉庫及び物流設備とスマート製造設備の設計と構築に用いられ、地域製造プラットフォーム内の各製造メーカーに提供され使用される。
【００３３】
該リアルタイムデータ採取及び執行層は、スマートリアルタイムモニタリングシステムＲＴＭＳの執行エンドを通して、インフラ設備層の工場インフラ／設備に対して、スマートインフラリアルタイム採取モニタリングを実施し、中央倉庫及び物流設備とスマート製造設備に対して、スマート設備インフォメーションリアルタイム採取モニタリングを実施し、プラットフォーム内のすべての施設設備インフォメーションを相互に接続し、スマートモニタリング、リアルタイムでの施設設備の運行インフォメーション採取を実現し、生産計画に基づき、設備をスマート制御し、フレキシブルな製造、効率向上、省エネ及び消費削減で基礎的な保障を提供し、及びインフラ設備層に対して、その他インフォメーションのリアルタイム採取モニタリングを実施し、該その他のインフォメーションリアルタイム採取モニタリングは、全面的な製造過程スマートリアルタイムモニタリングサービスを提供し、製造過程で、メンテナンス関連のサプライヤー、資材、生産管理、品質管理、リアルタイムコスト、物流過程、財務、人的資源のデータ、スマート製造経験データ、その他の経験データ及び市場デマンドデータ、製品販売データ、資材供給データ、物流インフォメーションデータを得ることができる。
【００３４】
該インフォメーション管理層は、統合されたスマートインフォメーションシステムモジュールを含み、該スマートインフォメーションシステムモジュールは、スマートリアルタイムモニタリングシステムＲＴＭＳのサービスエンド、サプライヤー管理システムＳＣＭ、顧客関係管理システムＣＲＭ、統合製品開発システムＩＰＤ、企業リソース計画ＥＲＰ、製造執行システムＭＥＳ、スマート計算計画スケジューラーＡＰＳ、スマート倉庫管理システムＷＭＳ、製品ライフサイクル管理システムＰＬＭを含み、ビッグデータ分析及びスマート製造経験データシェアの基礎において、オーダーとスマート生産スケジュールに基づき、フレキシブル製造を行い、スマートインフォメーションシステムは継続的に学習及び改善し、地域製造プラットフォーム内製造メーカーのスマート製造レベルとスマート意思決定レベルを高めることができる。
【００３５】
該スマートリアルタイムモニタリングシステムＲＴＭＳのサービスエンドは、サービスを発表する形式で、スマートリアルタイムモニタリングシステムＲＴＭＳの執行エンドが採取するインフラ、スマート設備、製造過程インフォメーションを獲得し、ＶＲの方式で、工場内部の中央モニタリングプラットフォーム及び／或いはリモートカスタマーエンドに、製品生産のリアルタイム全過程を表示し、ユーザーは製品の生産状況、設備の運行状況をダイレクトに知ることができる。
【００３６】
該統合製品開発システムＩＰＤは、地域製造プラットフォーム内の各製造メーカーに、製品最適化設計、個別化設計の研究開発サービスを提供する。
【００３７】
本発明の技術方案は、以下の効果を実現できる。
1. グローバルサプライチェーンに安全で信頼できる統一した経営環境を構築し、グローバルエンドカスタマーの注文からパーツグローバル調達、製品グローバルスマート製造、グローバル支払い、グローバル物流配送までの効率の高い全プロセスサービスを実現でき、時間と地点の制限を受けず、製品コストを引き下げ、製品の品質を確保し、極めて高い社会的効果を備える。
2. エンドカスタマーはグローバルスマートクラウドサービスプラットフォームを通してグローバル製造メーカーが直接提供する製品サービスを受けられ、製品の購入コストを引き下られる。また、カスタム化製品デマンドを提出し、及び製品インフォメーションの正確なレコメンドサービスが得られ、買い物体験と必要を満たすことができる。
3. グローバル企業，特別是中小企業可通過入駐地域製造プラットフォーム，獲得グローバル調達、グローバル販売、グローバル物流サービス，降低調達コスト、販売コスト、物流コスト，使入駐プラットフォームの中小企業可快速成為具有先進製造システムの企業，具有と大企業競争の実力。
4. グローバル企業はグローバル製造プラットフォームが提供するソフトウェアサービスとスマートインダストリーサービス（生産管理サービス、リアルタイムデータ採取サービス、ビッグデータ分析サービス、品質管理サービス、資材管理サービス、中央実験室サービス、人的資源訓練及びサポートサービス、自動化及び情報化サービス、研究開発センター製品研究開発サービス、スマート配送サービス等）を通して、絶えずスマート製造の情報化と自動化レベルを高め、製造効率を高め、製品の品質を高め、プラットフォームが提供するビッグデータ分析サービスに基づき、タイムリーに企業の経営決定を調整し、経営コストを引き下げられる。
5. グローバル製造メーカーは、グローバル製造プラットフォームが提供する高いレベルのスマート製造サービスにより、製品の品質を保証でき、製品の競争力とブランド効果を高めることができる。
6. グローバル販売プラットフォームは、エンドカスタマーのデマンドデータに対して、ビッグデータ分析の基礎において、エンドカスタマーに対して、製品インフォメーションを正確に勧められ、高品質の製品を提供し、顧客の買い物の満足度を高めることができる。
【図面の簡単な説明】
【００３８】
【図１】本発明におけるサービスユニットの構造図である。
【図２】本発明グローバルセルラーサービスネットワークの模式図である。
【図３】本発明グローバルスマート製造販売サービスシステムのサービスを示すブロック図である。
【図４】本発明グローバル調達、グローバル製造、グローバル販売サービス第一実施形態のフローチャートである。
【図５】本発明グローバル調達、グローバル製造、グローバル販売サービス第二実施形態のフローチャートである。
【図６】本発明グローバル製造プラットフォームの構造図である。
【発明を実施するための形態】
【００３９】
（一実施形態）
図１に示す通り、本発明グローバルスマート製造販売サービスシステムは、グローバルスマートクラウドサービスプラットフォーム１を有する多数のサービスユニットを有する。
各サービスユニットのグローバルスマートクラウドサービスプラットフォーム１は、それが定義した標準プラットフォームインターフェース及びプロトコルに基づき、マルチプルネットワークリンクを通して連接し、サービスユニットの間のデータ交換を実現する。
多数のサービスユニットはセルラーアーキテクチャーにより、絶えず複製及び拡張でき、しかも安全な特にサプライサイドからデマンドサイド管理のグローバルセルラーサービスネットワーク１０を構成する（図２参照）。
【００４０】
サービスユニットは、グローバルセキュリティ管理システム７に基づき、データの機密保持性、安全性、使用可能性確保の基礎において、グローバルスマートクラウドサービスプラットフォーム１を構成する。
グローバルスマートクラウドサービスプラットフォーム１は、自が定義する標準プラットフォームインターフェース及びプロトコルとグローバル販売プラットフォーム９、グローバル製造プラットフォーム２、グローバルエンドカスタマー５、グローバルパーツサプライヤー６、グローバル物流執行エンド３、グローバル支払いシステム４を採用してドッキングする。
グローバルエンドカスタマー５から独立した各グローバル製造プラットフォーム２、グローバルパーツサプライヤー６、グローバル販売プラットフォーム９、グローバル物流執行エンド３までのデマンドサイドからサプライサイドまでの完全なサプライチェーンシステムを統合し、グローバル支払いシステム４を統合する。
グローバル支払いシステム４とグローバルスマートクラウドサービスプラットフォーム１はインフォメーション（企業アイデンティティインフォメーション、企業信用インフォメーション、企業金融業務インフォメーション、銀行業務インフォメーション）を交換し、企業インフォメーションの機密保持性を確保する。
グローバルスマートクラウドサービスプラットフォーム１は、グローバル販売プラットフォーム９、グローバルパーツサプライヤー６、グローバル物流執行エンド３、グローバル支払いシステム４を通して、グローバル製造プラットフォーム２へと、ＳａａＳクラウドサービスに基づくグローバル販売サービス２２、グローバル調達サービス２３、グローバル製造プラットフォームサービス２１、グローバル物流サービス２４、グローバル支払いサービス２５、スマートインフォメーションシステムサービス３５、ソフトウェアサービス３６を提供する。
グローバルスマートクラウドサービスプラットフォーム１は、グローバルセルラーサービスシステム８を経由し、グローバルスマートクラウドサービスプラットフォーム１のフォーメーション、オペレーション及びメンテナンスとオン／オフラインの総合サービスを提供する。
グローバルスマートクラウドサービスプラットフォーム１は、ビッグデータ分析及びスマート製造経験データシェアの基礎において、絶えずセルフ進化し、グローバルサプライチェーン効率を絶えず高め、スマート製造のレベルを絶えず改善し、スマート意思決定レベルを絶えず改善する。
【００４１】
グローバルスマートクラウドサービスプラットフォーム１は、クラウドデータプールに基づき、サービス指向を採用するビッグデータ分析の基礎において、絶えずセルフラーニング及び改善を行い、シェアスマート製造能力の分散式アーキテクチャーを高め、グローバルセキュリティ管理システム７により、安全なインフォメーション環境を提供する。
カスタマーエンドとしてのグローバルエンドカスタマー５、サプライヤーとしてのグローバルパーツサプライヤー６及び製造メーカーは、グローバルスマートクラウドサービスプラットフォーム１上での登録を通して、サービスを獲得する。
各グローバルスマートクラウドサービスプラットフォーム１の間、及びグローバルスマートクラウドサービスプラットフォームとドッキングする各システム或いはプラットフォームの間では、標準化、モジュール化されたセキュリティインターフェースとプロトコルの方式を採用し、マルチプルネットワークリンクを通して連接し、データを交換し、グローバルセルラーサービスネットワークを構成し、グローバルに製造販売サービスを提供する。
【００４２】
各グローバルスマートクラウドサービスプラットフォーム１は、独立したクラウドデータプールを有する。
各クラウドデータプールは、公共データ（グローバルスマートクラウドサービスプラットフォーム１が収集した各企業が公布した需給データ、グローバル製造プラットフォーム２のスマート製造過程経験データとグローバル物流執行エンド３の物流データ）を同期する。
スマートインフォメーションシステムサービス３５とソフトウェアサービス３６を通して、ビッグデータ分析技術を採用し、公共データを集中処理する。
ビッグデータ分析技術は、人工神経ネットワークと遺伝アルゴリズム技術を採用し、グローバルスマートクラウドサービスプラットフォーム１のサプライチェーン全過程のスマート意思決定に運用し、継続学習、企業経営における意思決定条件における分析と改善、意思決定効果と思考方法の関係、人工神経ネットワークと遺伝アルゴリズムを絶えず改善し、経験データに基づくセルフ進化機能を備え、スマート製造経験のシェアを通して、企業のスマート製造のレベル、スマート意思決定レベルを絶えず改善する。
【００４３】
グローバルセキュリティ管理システム７は、グローバルセルラーサービスネットワーク１０とすべてのサービスユニットに、グローバルインフォメーションセキュリティサービス２６を提供し、企業に、安心で信頼できる安全な使用環境を提供し、データベースデータに定義された暗号化ストレージサービス、ユーザーが定義したデジタル署名に対応したデジタル証書に基づくアイデンティティ有効性認証サービスを有する。
データ暗号化伝送とブロックチェイン技術を採用し、サービスユニット内部及びその間のグローバルトレードインフォメーションの機密保持性、安全性、完全性と頑強性を実現する。
Ｏｖｅｒｌａｙ技術を採用し、すべてのユーザーデータのネットワーク隔離を実現し、ユーザーの私有データを有し、ユーザーだけがアクセスできる機能のネットワーク設備とコントローラーを通して、各単一企業等ユーザーの敏感なデータの機密保持とセキュリティを確保する。
顧客が信頼し、認証を経た第三者グローバルインフォメーションセキュリティ機構は、グローバルスマートクラウドサービスプラットフォーム１に入ることができ、サービスユニット及びグローバルセルラーサービスネットワークに、インフォメーションセキュリティ保障を提供する。
【００４４】
グローバルエンドカスタマー５は、グローバルスマートクラウドサービスプラットフォーム１に登録し、及びアイデンティティ認証後、サービスを受けることができる。
サービスは、製品の選択と発注サービス、発注製品の生産状態と物流インフォメーションをチェックするサービス、グローバル物流執行エンド３の配送を受けるサービス、通過プラットフォームに接続するグローバル支払いシステム４を通した支払いサービスを含む。
【００４５】
グローバルパーツサプライヤー６は、グローバル製造メーカーにより、調達の資材を提供する。
グローバルスマートクラウドサービスプラットフォーム１に登録し、及びアイデンティティ認証後、サービスを受けることができる。
サービスは、グローバル製造プラットフォーム２が発した、或いは製造メーカーが認定した資材調達オーダーを自動的に獲得するサービス、グローバル物流執行エンド３の配送サービス、プラットフォームに接続するグローバル支払いシステム４を通して、価格を受け取るサービスを含む。
【００４６】
グローバル販売プラットフォーム９は、グローバル販売サービス２２を提供し、グローバル製造メーカーは、展示製品インフォメーションを提供でき、グローバルエンドカスタマーは、製品を選択し、カスタマイズし、発注することができる。
グローバルスマートクラウドサービスプラットフォーム１のスマートインフォメーションシステムサービス３５中のビッグデータ分析の基礎において、グローバル販売プラットフォーム９を通して、顧客に対して、グローバル製造メーカーの製品インフォメーションを正確に勧めることができる。
【００４７】
グローバル支払いシステム４は、世界的な多種の支払いプラットフォームにより組成され、顧客の製品価格支払い、企業の資材調達価格支払いを実現し、企業のアイデンティティ認証に参与する。  
顧客の支払い信用データを統計、分析する基礎において、信用支払いを実現する。
【００４８】
グローバル製造プラットフォーム２は、ｎ個の異なる製品／業界属性の地域製造プラットフォームにより組成され、各地域製造プラットフォームには、複数の相同の業界属性の製造メーカーが加入でき、グローバル製造メーカーに、ｎ個のグローバル製造プラットフォームサービスを提供し、グローバル製造を執行する。
【００４９】
図３に示す通り、地域製造プラットフォームは、同地域同属性製造プラットフォームと異なる地域同属性製造プラットフォームに分けられる。
製品オーダーサービス３１、資材調達サービス３２、物流サービス３３、支払いサービス３４、スマートインフォメーションシステムサービス３５、ソフトウェアサービス３６の基礎において、地域製造プラットフォーム内の製造メーカーに、スマートインダストリーサービス１１を提供する。
サービスはすべて、モジュール化、標準化の形式で提供され、製造メーカーの登録及び申請に基づき得られる。
【００５０】
同地域同属性製造プラットフォーム（即ち中小企業団地内の、複数の同業界属性の製造メーカーのスマート工場が入る製造プラットフォーム）が提供するスマートインダストリーサービス１１は、団地内製造メーカーに提供する生産管理サービス９０、リアルタイムデータ採取サービス９８、ビッグデータ分析サービス９９、品質管理サービス９１、資材管理サービス９６、スマート配送サービス９７、中央実験室サービス９２、人的資源訓練及びサポートサービス９４、自動化及び情報化サービス９３、研究開発センター製品研究開発サービス９５、研究開発設計製作サービス等を含む。
団地内製造メーカーに提供する工場スマートインフラ／設備５７、スマート製造設備６６、中央倉庫等ハード施設は、加入する中小企業のスマート製造能力を高め、自動化と情報化が融合した先進的な製造システムを達成し、製品の品質保障能力を高め、物流効率を高めることができる。
【００５１】
異なる地域同属性製造プラットフォーム（即ちグループ企業或いは団地外の他の自らフォーメーションする製造プラットフォーム）が提供するスマートインダストリーサービス１１は、グループ企業或いは製造プラットフォームに提供する生産管理サービス９０、リアルタイムデータ採取サービス９８、ビッグデータ分析サービス９９、品質管理サービス９１、資材管理サービス９６、スマート配送サービス９７、人的資源管理サービス、情報化サービス等を含み、グループ企業及びその他の企業のスマート製造能力を高め、自動化と情報化が融合した先進的な製造システムを達成し、製品の品質保障能力を高め、物流効率を高める。
【００５２】
スマートインフォメーションシステムサービス３５は、スマートリアルタイムモニタリングシステムサービスＲＴＭＳ-Ｓｅｒｖｅｒを含むが、これに限定されない。
スマートリアルタイムモニタリングシステムサービスは、リアルタイムデータ採取サービスとビッグデータ分析サービスを含み、それはスマートインダストリーサービス１１の核心サービスである。
【００５３】
リアルタイムデータ採取サービスは、スマートリアルタイムモニタリングシステムＲＴＭＳの執行エンドを通して、スマート工場中のすべてのスマート製造設備６６、工場スマートインフラ／設備５７を相互に接続し、自動的にデータを採取し、サービスを通して、工場スマートインフラ／設備５７とスマート製造設備６６を自動的にコントロールし、フレキシブル生産自動化を実現する。
同時に、全面的な製造過程スマートリアルタイムモニタリングサービスを提供し、製造過程において、メンテナンス関連のサプライヤー、資材、生産管理、品質管理、リアルタイムコスト、物流過程、財務、人的資源等データを得ることができ、スマート製造経験データを含む。
これらインフォメーションは、各企業独自のもので、機密保持すべきものであるので、関連データを交付するかどうかは企業が自主的に決定する。
リアルタイムデータ採取サービスはさらに、市場デマンドデータのモニタリング、製品販売データ、資材供給データ、物流インフォメーションデータ等を採取する。
【００５４】
工場スマートインフラ／設備５７とスマート製造設備６６は、工場インフラリアルタイムモニタリング設備、スマート立体倉庫６３、スマートフロアストックインベントリー６４、無人輸送車、スマート組立て及び包装設備６７、製品自動テスト設備、製品信頼性実験設備及びその他の自動化設備を含むが、これに限定されない。
【００５５】
ビッグデータ分析サービス９９は、リアルタイムデータ採取サービス９８が採取したビッグデータとスマート製造経験データの基礎において、ビッグデータスマート分析を行い、リアルタイムで工場の全オペレーションを通してキーノードを監視するサービス、統計分析インフォメーション集中表示サービス、生産過程の３Ｄモデリング及びＶＲ表示サービスとスマート意思決定サービスを企業に提供する。
工場のサプライチェーンインフォメーション全体をリアルタイムに表示し、各サプライチェーンプロセスはすべて確実にリアルタイムにコントロールを受け、同時にリアルタイムに統計し、供給エンドからデマンドエンドまでのインフォメーションを表示し、企業はタイムリーにフィードバック及び調整し、迅速に決定し、完全なインフォメーションサービスを提供する。
【００５６】
リアルタイムで工場の全オペレーションを通してキーノードを監視するサービスと統計分析インフォメーション集中表示サービスは、ビッグデータのスマートディスプレイターミナルサービスに基づき、各キーノードリアルタイムモニタリング及び統計分析データ、ユーザーが関心があるインフォメーションを集中表示する。
【００５７】
生産過程の３Ｄモデリング及びＶＲ表示サービスは、サービス過程統計分析サービスの最も主要な表示方式で、ＶＲ技術を通して、工場スマートインフラ／設備５７、スマート製造設備６６、中央倉庫及びスマート物流設備の３Ｄモデルを作り、リアルタイムデータ採取サービス９８が採取したデータ及びインフォメーション管理システムリアルタイムデータ交換を結合し、ＶＲの方式で、工場内部の中央モニタリングプラットフォーム及び／或いはリモートカスタマーエンドに、製品生産のリアルタイム全過程を表示し、バーチャル工場を建設し、ユーザーは製品の生産状況、設備の運行状況をダイレクトに知ることができる。
【００５８】
スマート意思決定サービスは、生産過程の３Ｄモデリング及びＶＲ表示、スマート製造経験データに基づき、バーチャル工場を構築し、オーダー執行をシミュレートし、ルーティンをシミュレートし、製造過程をシミュレートし、企業の事前決定レベルを高めることができる。
【００５９】
工場のサプライチェーンインフォメーション全体は、サプライヤー状況、原材料供給、物流インフォメーション、製品生産量及び歩留り、生産効率、品質状況、リアルタイム矯正及び予防措置、リアルタイム統計、人的資源状況を含む。
【００６０】
リアルタイム統計は、供給エンドからデマンドエンドまでのインフォメーションを表示し、サプライヤーインフォメーション、工数効率インフォメーション、リアルタイムコストインフォメーション、コスト統計分析インフォメーション、品質状況統計分析インフォメーション、矯正及び予防措置統計分析インフォメーション、人的資源統計分析インフォメーション、工場インフラ統計分析インフォメーション、物流インフォメーション統計分析、製造経験データ統計分析及び異なる製品デマンドの顧客分析統計インフォメーション（地域分布、顧客構成等）、顧客満足度統計分析インフォメーションを含む。
【００６１】
グローバルセルラーサービスシステム８は、フォーメーション、オペレーション及びメンテナンスグローバルスマートクラウドサービスプラットフォーム１に用い、グローバルスマート製造販売サービスシステムのサービスモデルをグローバルにプロモートし、セルラーサービスネットワークを作り上げ、地域製造プラットフォームをプロモート、フォーメーションし、地域製造プラットフォーム内の各製造メーカーに、製品のスマート製造ソリューション、スマート製造設備６６を開発及び製造するソリューション、及び中央倉庫及び物流設備１００のソリューションを提供し、スマートインフォメーションシステムを、インダストリー製造自動化執行プロセスに融合する。
【００６２】
すべてのデータは、各類企業が公布した需給データ、提供サービスのデータ、スマート製造経験及びその他の経験データ、グローバル物流執行エンドの物流データと企業内部独立使用の機密保持データに区分され、データを公開するか否かは企業が自主的に定義できる。
【００６３】
本発明グローバルスマート製造販売サービスシステムのグローバル調達、グローバル製造、グローバル販売サービス実施プロセスは、図４、図５に示す通り、以下のステップを含む。
ステップ１、グローバルエンドカスタマー５は、グローバルスマートクラウドサービスプラットフォーム１にアクセス、登録後、グローバル販売プラットフォーム９上に表示される異なるカテゴリーの製品インフォメーションをチェック及び獲得でき、必要な製品製造オーダーを選択するか、或いは個別化デマンドを発布し、グローバル支払いシステム４を通して、製品オーダーの価格を支払う。
ステップ２、グローバル販売プラットフォーム９は、製品オーダーの製品／業界属性に基づき、同業界属性の製造プラットフォームに自動的に接続し、製造プラットフォームに属する各製造メーカーが上述の製品オーダーを確認したなら、対応する資材調達オーダーを出し、製造メーカーは、グローバル支払いシステム４を通して、資材調達オーダー価格を支払う。
ステップ３、グローバルスマートクラウドサービスプラットフォーム１は、グローバル販売プラットフォーム９上でグローバルエンドカスタマー５が下したすべての製品オーダーを集め、集めたグローバル製造プラットフォーム２製品データインフォメーション（製品製造メーカーインフォメーション、製品ＢＯＭ、地域製造プラットフォーム製品在庫インフォメーション、資材インフォメーション等）とグローバルパーツサプライヤー６のインフォメーションを通して、ビッグデータスマート分析により、自動的に資材調達オーダーを出し、グローバル調達を執行し、資材調達オーダーを、相応のパーツサプライヤーに分配して発注し、同時に、製品オーダーと自動発注の資材調達オーダーを、グローバル製造プラットフォーム２中の相応の製品を提供する製造メーカーにそれぞれ伝え、資材調達オーダー上の製品に在庫があるなら、パーツサプライヤーは、製品を、グローバル物流執行エンド３を通して、相応の資材デマンド製造メーカーにダイレクトに配送して供給し、資材デマンド製造メーカーの受取りを確認後、グローバル支払いシステム４は相応のパーツサプライヤーに自動的に価格を支払い、もし在庫がない、或いは在庫が不足している場合には、グローバルパーツサプライヤー６は、グローバルエンドカスタマー５に転化し、ステップ１に入る。
ステップ４、グローバル製造プラットフォーム２中の同地域同属性製造プラットフォーム内の製造メーカーであるなら、プラットフォーム内の工場スマートインフラ／設備５７、スマート製造設備６６を通して、スマートインダストリーサービス１１中で提供する生産管理サービス９０、リアルタイムデータ採取サービス９８、ビッグデータ分析サービス９９、品質管理サービス９１、中央実験室サービス９２、自動化及び情報化サービス９３、人的資源訓練及びサポートサービス９４、研究開発センター製品研究開発サービス９５、資材管理サービス９６、スマート配送サービス９７に対応してオーダー製品製造過程を執行し、グローバルスマートクラウドサービスプラットフォーム１のスマートインフォメーションシステムサービス３５、ソフトウェアサービス３６を獲得し、こうしてスマートインフォメーションシステムを、インダストリー製造自動化執行プロセス中に融合し、製造した製品を、地域製造プラットフォームの中央倉庫及び物流設備１００に集め、スマート配送サービス９７を通して顧客に配送し、顧客の受取りを確認後、グローバル支払いシステム４は自動的にオーダー製品価格を相応の製造メーカーに支払う。
【００６４】
グローバル製造プラットフォーム２中の異なる地域同属性製造プラットフォーム内の製造メーカーであるなら、自社で構築した工場スマートインフラ／設備５７、スマート製造設備６６を通して、プラットフォームスマートインダストリーサービス１１中で提供する生産管理サービス９０、リアルタイムデータ採取サービス９８、ビッグデータ分析サービス９９、品質管理サービス９１、資材管理サービス９６、スマート配送サービス９７、人的資源管理サービス、情報化サービス等に対応して、オーダー製品の製造過程を執行し、グローバルスマートクラウドサービスプラットフォーム１のスマートインフォメーションシステムサービス３５、ソフトウェアサービス３６を獲得し、製造した製品をスマート配送サービス９７を通して顧客に配送し、顧客の受取りを確認後、グローバル支払いシステム４は自動的にオーダー製品価格を相応の製造メーカーに支払う。
【００６５】
製品の製造過程及び物流配送過程において、顧客はリアルタイムで製品供給の生産インフォメーションと物流インフォメーションをチェックできる。
【００６６】
本発明グローバル製造プラットフォーム２がグローバル製造プロセスを実施する際には、図６に示す通り、具体的に以下のステップを含む。
ステップ１、世界中の異なる地域で、業界の属性に基づき、デジタル化、情報化、スマート化を基礎としたｎ個の地域製造プラットフォームを構築し、各地域製造プラットフォームには、複数の相同の業界属性の製造メーカーが加入でき、大企業規模のスマート製造プラットフォームを組成する。
ステップ２、各地域製造プラットフォームは、それ自身が定義する標準プラットフォームインターフェース及びプロトコルにより、グローバルスマートクラウドサービスプラットフォーム１とドッキングし、地域製造プラットフォームは、インフラ設備層４３、リアルタイムデータ採取及び執行層４２、インフォメーション管理層４１の三つの層に分けられ、地域製造プラットフォームは、インフラ設備層４３、リアルタイムデータ採取及び執行層４２、インフォメーション管理層４１の融合を通して、地域製造プラットフォーム内の各製造メーカーに、スマートインダストリーサービス１１を提供し、スマートインダストリーサービス１１は、リアルタイムデータ採取サービス９８、ビッグデータ分析サービス９９、生産管理サービス９０、品質管理サービス９１、中央実験室サービス９２、自動化及び情報化サービス９３、人的資源訓練及びサポートサービス９４、研究開発センター製品研究開発サービス９５、資材管理サービス９６、スマート配送サービス９７含み、加入する中小企業のスマート製造能力を高め、自動化と情報化が融合した先進的な製造システムを達成し、製品の品質保障能力を高め、物流効率を高めることができる。
【００６７】
インフラ設備層４３は、デジタル化、スマート化の工場インフラ／設備５７（スマート給電設備５８、スマート空調及び照明設備５９、ネットワーク設備６０、スマートセキュリティ防護設備６１等）、中央倉庫及び物流設備１００（スマート立体倉庫６３、スマートフロアストックインベントリー６４、自動ガイド運搬車６２等）とスマート製造設備６６（スマートフレキシブル生産ライン６５、スマート組立て及び包装設備６７、スマートテストワークステーション６８等）の設計と構築に用いられ、プラットフォーム内の各製造メーカーに提供され使用される。
スマート製造設備６６は、ユーザーの登録コードとキー認証を採用し、ネットワークへの安全なアクセスを実現し、各製造メーカーは登録コードにＵｋｅｙ認証を加えて、インフォメーションシステムサービスを得られ、すべてのインフォメーション交換は暗号化伝送を採用し、各製造メーカーインフォメーションの機密保持性、安全性を確保する。
【００６８】
リアルタイムデータ採取及び執行層４２は、スマートリアルタイムモニタリングシステムＲＴＭＳの執行エンド５３を通して、インフラ設備層４３の工場スマートインフラ／設備５７に対して、スマートインフラリアルタイム採取モニタリング５４を実施し、中央倉庫及び物流設備１００とスマート製造設備６６に対して、スマート設備インフォメーションリアルタイム採取モニタリング５５を実施し、プラットフォーム内のすべての施設設備インフォメーションを相互に接続し、スマートモニタリング、リアルタイムでの施設設備の運行インフォメーション採取を実現し、生産計画に基づき、設備をスマート制御し、フレキシブルな製造、効率向上、省エネ及び消費削減で基礎的な保障を提供し、及びインフラ設備層４３の人的資源、リアルタイムコスト、品質、効率、顧客デマンド等６９に対して、その他インフォメーションのリアルタイム採取モニタリング５６を実施し、その他のインフォメーションリアルタイム採取モニタリング５６は、全面的な製造過程スマートリアルタイムモニタリングサービスを提供し、製造過程で、メンテナンス関連のサプライヤー、資材、生産管理、品質管理、リアルタイムコスト、物流過程、財務、人的資源のデータ、スマート製造経験データ、その他の経験データ及び市場デマンドデータ、製品販売データ、資材供給データ、物流インフォメーションデータ等を得ることができる。
【００６９】
インフォメーション管理層４１は、統合されたスマートインフォメーションシステムモジュールを含み、スマートインフォメーションシステムモジュールは、スマートリアルタイムモニタリングシステムＲＴＭＳのサービスエンド４４、サプライヤー管理システムＳＣＭ４５、顧客関係管理システムＣＲＭ４６、統合製品開発システムＩＰＤ４７、企業リソース計画ＥＲＰ４８、製造執行システムＭＥＳ４９、スマート計算計画スケジューラーＡＰＳ５０、スマート倉庫管理システムＷＭＳ５１、製品ライフサイクル管理システムＰＬＭ５２等を含み、ビッグデータ分析及びスマート製造経験データシェアの基礎において、オーダーとスマート生産スケジュールに基づき、フレキシブル製造を行い、スマートインフォメーションシステムは継続的に学習及び改善し、地域製造プラットフォーム内製造メーカーのスマート製造レベルとスマート意思決定レベルを高めることができる。
【００７０】
スマートリアルタイムモニタリングシステムＲＴＭＳのサービスエンド４４は、サービスを発表する形式で、スマートリアルタイムモニタリングシステムＲＴＭＳの執行エンド５３が採取するインフラ、スマート設備、製造過程インフォメーションを獲得し、ＶＲの方式で、工場内部の中央モニタリングプラットフォーム及び／或いはリモートカスタマーエンドに、製品生産のリアルタイム全過程を表示し、ユーザーは製品の生産状況、設備の運行状況をダイレクトに知ることができる。
【００７１】
統合製品開発システムＩＰＤ４７は、地域製造プラットフォーム内各製造メーカーに、製品最適化設計、個別化設計等の研究開発サービスを提供する。
【００７２】
本発明の技術方案を採用し、情報化、デジタル化、スマート化、統合されたグローバル化調達、支払い、スマート製造、販売と物流配送を一体とするグローバルスマート製造販売サービスシステムにより、サービスシステムは、グローバルセキュリティ管理システム、グローバルスマートクラウドサービスプラットフォーム１、グローバルエンドカスタマー５、グローバル製造プラットフォーム２、グローバルパーツサプライヤー６、グローバル販売プラットフォーム９、グローバル物流執行エンド３、グローバル支払いシステム４、グローバルセルラーサービスシステム８によりサービスユニットを組成する。
各サービスユニットは、世界中の異なる地域にサービスし、サービスユニット内のグローバルスマートクラウドサービスプラットフォーム１を中心として、セルラーアーキテクチャーを通して、グローバルに絶えず複製及び拡張でき、しかも安全なグローバルセルラーサービスネットワーク１０を組成する。
【００７３】
各サービスユニット中では、グローバルセキュリティ管理システム７に基づき、企業が独自に使用する内部データの機密保持性、安全性、完全性と使用可能性を確保する。
【００７４】
各サービスユニットのグローバルスマートクラウドサービスプラットフォーム１には、多数の分地域分業界属性の地域製造プラットフォームがドッキングされる。
地域製造プラットフォームは、プラットフォーム内の複数の製造メーカーに対して、スマートインダストリーサービス１１を提供し、スマートインフォメーションシステムサービス３５、ソフトウェアサービス３６，スマート工場中のすべてのスマート製造設備６６、工場スマートインフラ／設備５７を相互に接続し、同時に製造過程で、メンテナンス関連のサプライヤー、資材、生産管理、品質管理、リアルタイムコスト、物流過程、財務、人的資源等データを獲得する。
工場のサプライチェーンインフォメーション全体をリアルタイムに表示し、各サプライチェーンプロセスはすべて確実にリアルタイムにコントロールを受け、同時にリアルタイムに統計し、供給エンドからデマンドエンドまでのインフォメーションを表示し、ビッグデータ分析サービス９９の基礎において、企業はタイムリーにフィードバック及び調整し、迅速に決定し、完全なインフォメーションサービスを提供する。
【００７５】
前述した本発明の実施形態は本発明を限定するものではなく、よって、本発明により保護される範囲は後述される特許請求の範囲を基準とする。
【符号の説明】
【００７６】
１００  中央倉庫及び物流設備、
１  グローバルスマートクラウドサービスプラットフォーム、
２  グローバル製造プラットフォーム、
３  グローバル物流執行エンド、
４  グローバル支払いシステム、
５  グローバルエンドカスタマー、
６  グローバルパーツサプライヤー、
７  グローバルセキュリティ管理システム、
８  グローバルセルラーサービスシステム、
９  グローバル販売プラットフォーム、
１０  グローバルセルラーサービスネットワーク、
１１  スマートインダストリーサービス、
２１  グローバル製造プラットフォームサービス、
２２  グローバル販売サービス、
２３  グローバル調達サービス、
２４  グローバル物流サービス、
２５  グローバル支払いサービス、
２６  グローバルインフォメーションセキュリティサービス、
３１  製品オーダーサービス、
３２  資材調達サービス、
３３  物流サービス、
３４  支払いサービス、
３５  スマートインフォメーションシステムサービス、
３６  ソフトウェアサービス、
４１  インフォメーション管理層、
４２  リアルタイムデータ採取及び執行層、
４３  インフラ設備層、
４４  スマートリアルタイムモニタリングシステムＲＴＭＳのサービスエンド、
４５  サプライヤー管理システムＳＣＭ、
４６  顧客関係管理システムＣＲＭ、
４７  統合製品開発システムＩＰＤ、
４８  企業リソース計画ＥＲＰ、
４９  製造執行システムＭＥＳ、
５０  スマート計算計画スケジューラーＡＰＳ、
５１  スマート倉庫管理システムＷＭＳ、
５２  製品ライフサイクル管理システムＰＬＭ、
５３  スマートリアルタイムモニタリングシステムＲＴＭＳの執行エンド、
５４  スマートインフラリアルタイム採取モニタリング、
５５  スマート設備インフォメーションリアルタイム採取モニタリング、
５６  その他インフォメーションリアルタイム採取モニタリング、
５７  工場スマートインフラ／設備、
５８  スマート給電設備、
５９  スマート空調及び照明設備、
６０  ネットワーク設備、
６１  スマートセキュリティ防護設備、
６２  自動ガイド運搬車、
６３  スマート立体倉庫、
６４  スマートフロアストックインベントリー、
６５  スマートフレキシブル生産ライン、
６６  スマート製造設備、
６７  スマート組立て及び包装設備、
６８  スマートテストワークステーション、
６９  人的資源、リアルタイムコスト、品質、効率、顧客デマンド等、
９０  生産管理サービス、
９１  品質管理サービス、
９２  中央実験室サービス、
９３  自動化及び情報化サービス、
９４  人的資源訓練及びサポートサービス、
９５  研究開発センター製品研究開発サービス、
９６  資材管理サービス、
９７  スマート配送サービス、
９８  リアルタイムデータ採取サービス、
９９  ビッグデータ分析サービス。
【図１】
2019192210.tif 000003
【図２】
2019192210.tif 000004
【図３】
2019192210.tif 000005
【図４】
2019192210.tif 000006
【図５】
2019192210.tif 000007
【図６】
2019192210.tif 000008